【手続補正書】
【提出日】平成18年12月13日(2006.12.13)
【手続補正１】
【補正対象書類名】明細書
【補正対象項目名】特許請求の範囲
【補正方法】変更
【補正の内容】
【特許請求の範囲】
【請求項１】  システム制御装置（２２）と、無線周波基地局送信機(２６)と、少なくとも１つの無線通信デバイス（３５）とを有する無線通信システムにおいて、ダウンリンクの呼を通信する方法であって、
第１の組の呼（７０）をインターリーブして、前記インターリーブされた第１の組の呼からなるＩチャネル・ビット・ストリーム（７４）を生成することと、
第２の組の呼をインターリーブ（７６）して、前記インターリーブされた第２の組の呼からなるＱチャネル・ビット・ストリーム（８０）を生成することと、
前記Ｉチャネル・ビット・ストリーム（７４）をダウンリンクの呼（３４）の同位相キャリヤ成分に変調すること、および前記Ｑチャネル・ビット・ストリーム（８０）をダウンリンクの呼（３４）の直交位相キャリヤ成分に変調することにより、前記ダウンリンクの呼（３４）を生成することとからなり、前記第１の組の呼は第１無線通信デバイス（３５）のためのものであり、前記第２の組の呼は第２無線通信デバイス（３５）のためのものであることを特徴とする、方法。
【請求項２】  請求項１記載のダウンリンクの呼（３４）を通信するための方法において、前記ダウンリンクの呼（３４）を生成することが、
前記多重化したＩチャネル・ビット・ストリーム（７４）およびＱチャネル・ビット・ストリーム（８０）を複合シンボルストリームに変換することをさらに含む方法。
【請求項３】  請求項２記載のダウンリンクの呼（３４）を通信するための方法において、前記Ｉチャネル・ビット・ストリーム（７４）が、第１の呼からの第１のビットを含み、前記Ｑチャネル・ビット・ストリーム（８０）が、第２の呼からの第２のビットを含み、さらに、前記変換することが、前記第１のビットと前記第２のビットとを対にすることによりシンボルを生成することを含む方法。
【請求項４】  請求項１記載のダウンリンクの呼（３４）を通信するための方法において、前記第１の組の呼（７０）をインターリーブすることが、
前記第１の組の呼（７０）をＩチャネル・インターリービング・ブロックにインターリーブすることと、
前記Ｉチャネル・インターリービング・ブロック(７２)から前記Ｉチャネル・ビット・ストリーム（７４）を生成することとを含む方法。
【請求項５】  請求項１記載のダウンリンクの呼（３４）を通信するための方法において、前記第１の組の呼（７０）をインターリーブすることが、
前記第２の組の呼(７６)をＱチャネル・インターリービング・ブロック(７８)にインタ
ーリーブすることと、
前記Ｑチャネル・インターリービング・ブロック(７８)から前記Ｑチャネル・ビット・ストリーム（８０）を生成することとを含む方法。
【請求項６】  請求項１記載のダウンリンクの呼（３４）を通信するための方法において、
前記無線周波基地局送信機(２６)から前記無線通信デバイス(３５)に前記ダウンリンクの呼（３４）を送信することと、
前記無線通信デバイス(３５)内で前記ダウンリンクの呼（３４）を処理することとをさらに含む方法。
【請求項７】  請求項６記載の無線周波基地局送信機(２６)と無線通信デバイス(３５)との間でダウンリンクの呼（３４）を通信するための方法において、それによる処理ステップが、
前記ダウンリンクの呼（３４）を受信することと、
前記第１の組の呼（７０）を検索するために、前記Ｉチャネル・ビット・ストリーム（７４）を処理することとを含む方法。
【請求項８】  請求項６記載のダウンリンクの呼（３４）を通信するための方法において、それによる処理ステップが、
前記ダウンリンクの呼（３４）を受信することと、
前記第２の組の呼(７６)を検索するために、前記Ｑチャネル・ビット・ストリーム（８０）を処理することとを含む方法。
【請求項９】  無線周波基地局送信機(２６)と少なくとも１つの無線通信デバイス(３５)との間でダウンリンクの呼（３４）を通信するために、直交振幅変調を使用する無線通信システム（１０）において、前記ダウンリンクの呼（３４）の通信を制御するためのシステム制御装置であって、
入力および出力を有する、第１の組の呼（７０）をインターリーブし、該インターリーブされた第１の組の呼からなるＩチャネル・ビット・ストリーム（７４）を生成するための第１のインターリーバ（６４）と、
入力および出力を有する、第２の組の呼(７６)をインターリーブし、該インターリーブされた第２の組の呼からなるＱチャネル・ビット・ストリーム（８０）を生成するための第２のインターリーバ（６６）と、
前記Ｉチャネル・ビット・ストリーム（７４）をダウンリンクの呼（３４）の同位相キャリヤ成分に変調し、かつ前記Ｑチャネル・ビット・ストリーム（８０）をダウンリンクの呼（３４）の直交位相キャリヤ成分に変調して前記ダウンリンクの呼（３４）を生成するための、前記第１のインターリーバ（６４）の出力と前記第２のインターリーバ（６６）の出力とに接続されたマルチプレクサ（６８）とを備え、前記第１の組の呼は第１無線通信デバイス（３５）のためのものであり、前記第２の組の呼は第２無線通信デバイス（３５）のためのものであることを特徴とする、システム制御装置。
【請求項１０】  請求項９記載のシステム制御装置（２２）において、
第１の組の呼（７０）を前記第１のインターリーバ（６４）に割り当て、第２の組の呼(７６)を前記第２のインターリーバ（６６）に割り当てるために、前記第１のインターリーバ（６４）の入力と前記第２のインターリーバ（６６）の入力とに接続されたチャネル・マネージャ（６２）をさらに備えるシステム制御装置。
【請求項１１】  請求項９に記載の制御装置であって、
複数の呼を処理するためのメッセージ・プロセッサ（６０）と、
前記メッセージ・プロセッサ（６０）、第１のインターリーバ（６４）および第２のインターリーバ（６６）に接続された、第１の組の呼（７０）を前記第１のインターリーバ（６４）に割り当て、第２の組の呼(７６)を前記第２のインターリーバ（６６）に割り当てるためのチャネル・マネージャ（６２）と、
前記多重化信号を受信し、前記ダウンリンクの呼（３４）を生成するための、前記マルチプレクサ（６８）に接続された通信インターフェースとをさらに備えるシステム制御装
置。
【請求項１２】  直交振幅変調を使用する無線通信システムにおいて、無線周波基地局送信機(２６)からダウンリンクの呼（３４）を受信するための無線通信デバイス(３５)であって、
ダウンリンクの呼（３４）の同位相キャリヤ成分に変調されたＩチャネル・ビット・ストリーム（７４）とダウンリンクの呼（３４）の直交位相キャリヤ成分に変調されたＱチャネル・ビット・ストリーム（８０）とを含む前記ダウンリンクの呼（３４）を受信するための受信機（９０）であって、
前記Ｉチャネル・ビット・ストリーム（７４）が、第１の無線通信デバイスのためのインターリーブされた第１の組の呼を含むことと、
前記Ｑチャネル・ビット・ストリーム（８０）が、第２の無線通信デバイスのためのインターリーブされた第２の組の呼を含むこととを特徴とする受信機（９０）と、
前記第１の組の呼（７０）が前記無線通信デバイス(３５)宛ての呼を含む場合に、前記ダウンリンクの呼（３４）をＩチャネル・プロセッサ（９８）にルートするための、前記受信機に接続された呼マネージャ（９４）と、
前記呼マネージャ（９４）から受信した前記ダウンリンクの呼（３４）の前記Ｉチャネル・ビット・ストリームを処理するための、前記呼マネージャ（９４）に接続された前記Ｉチャネル・プロセッサ（９８）とを備える無線通信デバイス。
【請求項１３】  請求項１２記載の無線通信デバイス(３５)において、前記Ｉチャネル・プロセッサ（９８）が、
前記Ｉチャネル・ビット・ストリーム（７４）を復調し、第１の復調ビット・ストリームを生成するための復調器（１１２）と、
前記第１の復調ビット・ストリームを受信し、デインターリーブ（ｄｅｉｎｔｅｒｌｅａｖｅ）するための、前記復調器（１１２）に接続されたＩチャネル・デインターリーバ（１１４）とを備える無線通信デバイス。
【請求項１４】  請求項１３記載の無線通信デバイス(３５)において、前記復調器（１１２）が、前記Ｉチャネル・ビット・ストリーム（７４）からＱＡＭ変調レベルを抽出し、前記抽出したＱＡＭ変調レベルに従って前記Ｉチャネル・ビット・ストリーム（７４）を復調するための可変速度ＱＡＭ復調器を備える無線通信デバイス。
【請求項１５】  請求項１２記載の無線通信デバイス(３５)において、
前記呼マネージャ（９４）から受信した前記ダウンリンクの呼（３４）の前記Ｑチャネル・ビット・ストリーム（８０）を処理するための、前記呼マネージャ（９４）に接続されたＱチャネル・プロセッサ（１００）をさらに備え、前記呼マネージャ（９４）は前記第２の組の呼(７６)が前記無線通信デバイス(３５)宛ての呼を含む場合に、前記ダウンリンクの呼（３４）をＱチャネル・プロセッサ（１００）にルートする無線通信デバイス(３５)。
【請求項１６】  請求項１５記載の無線通信デバイス(３５)において、前記Ｑチャネル・プロセッサ（１００）が、
前記Ｑチャネル・ビット・ストリーム（８０）を復調し、第２の復調ビット・ストリームを生成するための復調器（１１６）と、
前記第２の復調ビット・ストリームを受信し、デインターリーブするための、前記復調器（１１６）に接続されたＱチャネル・デインターリーバ（１１８）とを備える無線通信デバイス。
【請求項１７】  請求項１６記載の無線通信デバイス(３５)において、前記復調器（１１６）が、前記Ｑチャネル・ビット・ストリーム（８０）からＱＡＭ変調レベルを抽出し、前記抽出したＱＡＭ変調レベルにより前記Ｑチャネル・ビット・ストリーム（８０）を復調するための可変速度ＱＡＭ復調器を備える無線通信デバイス。
【請求項１８】  請求項１２記載の無線通信デバイス(３５)において、
ＱＡＭの呼を生成するためのＱＡＭ変調器と、
前記アップリンクの呼（４４）を送信するための、前記ＱＡＭ変調器に接続されたデバ
イス送信機（１３２）とを備える無線通信デバイス。
【請求項１９】  無線通信デバイス(３５)において、ＱＡＭ変調技術を使用する無線通信システムから呼を受信するための方法であって、
ダウンリンクの呼（３４）の同位相キャリヤ成分に変調されたＩチャネル・ビット・ストリーム（７４）とダウンリンクの呼（３４）の直交位相キャリヤ成分に変調されたＱチャネル・ビット・ストリーム（８０）とを含むダウンリンクの呼（３４）を受信することを含み、
前記第１の組の呼（７０）が第１無線通信デバイス(３５)宛ての呼を含む場合に、前記第１の組の呼（７０）を検索するために、前記ダウンリンクの呼（３４）の前記Ｉチャネル・ビット・ストリーム（７４）を処理し、前記第２の組の呼（７６）が第２無線通信デバイス(３５)宛ての呼を含む場合に、第２の組の呼（７６）を検索するために、前記ダウンリンクの呼（３４）の前記Ｑチャネル・ビット・ストリーム（８０）を処理することを特徴とする方法。
【請求項２０】  請求項１９記載の方法において、前記処理が、
前記Ｉチャネル・ビット・ストリーム（７４）を復調し、第１の復調ビット・ストリームを生成することと、
前記第１の復調ビット・ストリームをデインターリーブし、前記第１の組の呼（７０）を検索することとを含む方法。
【請求項２１】  請求項２０記載の方法において、前記復調が、
前記Ｉチャネル・ビット・ストリーム（７４）から前記ＱＡＭ変調レベルを抽出することと、
前記抽出したＱＡＭ変調レベルに従って前記Ｉチャネル・ビット・ストリーム（７４）を復調することとを含む方法。
【請求項２２】  請求項２１記載の方法において、
前記処理の前に、前記第１の組の呼（７０）が、こと前記Ｉチャネル・ビット・ストリーム（７４）内に含まれていることを識別することを含む方法。
【請求項２３】  請求項１９記載の方法において、前記処理が、
前記Ｑチャネル・ビット・ストリーム（８０）を復調し、第２の復調ビット・ストリームを生成することと、
前記第２の復調ビット・ストリームをデインターリーブし、前記第２の組の呼(７６)を検索することとを含む方法。
【請求項２４】  請求項２３記載の方法において、前記復調が、
前記Ｑチャネル・ビット・ストリーム（８０）から前記ＱＡＭ変調レベルを抽出することと、
前記ＱＡＭ変調レベルに従って前記Ｑチャネル・ビット・ストリーム（８０）を復調することとを含む方法。
【請求項２５】  請求項１９記載の方法において、
前記処理の前に、前記第２の組の呼(７６)が、前記Ｑチャネル・ビット・ストリーム（８０）内に含まれていることを識別することをさらに含む方法。
【請求項２６】  請求項１９に記載の方法において、
前記Ｉチャネル・ビット・ストリーム（７４）内に前記第１の組の呼（７０）が含まれていることを識別することと、
前記Ｑチャネル・ビット・ストリーム（８０）内に前記第２の組の呼(７６)が含まれていることを識別することと、
をさらに含む方法。